(57)【要約】      （修正有）【課題】血流を促進することができると共に、構造が簡易であり、重量の増大を抑制することができる寝具を提供する。【解決手段】寝具本体１１と、寝具本体１１の少なくとも一部を覆う寝具用カバー１２とを備えた敷き寝具１０である。敷き寝具１０は、寝具本体１１の表面１１ｃに固定された薄板状のベース２５と、ベース２５の寝具本体１１との反対側に露出しており、赤色の可視光である赤色光Ｌを照射する複数のＬＥＤ２１と、を備える。【選択図】図２
2019024737.tif 000002
【特許請求の範囲】
【請求項１】
寝具本体と、前記寝具本体の少なくとも一部を覆う寝具用カバーとを備えた寝具であって、
前記寝具本体の表面に固定された薄板状のベースと、
前記ベースの前記寝具本体との反対側に露出しており、赤色の可視光を照射する複数のＬＥＤと、
を備える寝具。
【請求項２】
前記ベースは、前記表面において一定方向に延びるように配置されており、
複数の前記ＬＥＤは、前記ベースにおいて前記一定方向に並んで配置されている、
請求項１に記載の寝具。
【請求項３】
前記ベースは、前記表面に固定された薄板状の第１ベースと、前記第１ベース上で直線状に延びると共に複数の前記ＬＥＤが埋め込まれた複数の第２ベースと、を含む、
請求項１又は２に記載の寝具。
【請求項４】
前記可視光の波長は、６２０ｎｍ以上且つ６５０ｎｍ以下である、
請求項１〜３のいずれか一項に記載の寝具。
【発明の詳細な説明】
【技術分野】
【０００１】
本発明は、赤色の可視光を照射するＬＥＤを備えた寝具に関する。
【背景技術】
【０００２】
使用者の身体が当てられる寝具においては、寝心地を良好にすることが従来から求められており、特に近年、寝具において、更なる付加価値を求めるため様々な工夫がなされている。実用新案登録第３２０３４９９号公報には、血流を促進し、健康効果及び美容効果の向上を求めることを目的としたマットが記載されている。
【０００３】
このマットは、複数の層から成る積層構造を備える。積層構造は、クッション、電気ヒーター、電磁波シールドシート、消臭シート、遮熱シート、マイナスイオンシート及び物品保持シートを備え、クッション、電気ヒーター、電磁波シールドシート、消臭シート、遮熱シート、マイナスイオンシート及び物品保持シートが、この順で下から順に積層されている。
【０００４】
上記の物品保持シートには、ＬＥＤ、トルマリン及び翡翠が整列状態で保持されている。物品保持シートは長方形状を成しており、物品保持シートの幅方向に沿って複数のＬＥＤが並ぶように配置されている。物品保持シートの幅方向に並ぶ複数のＬＥＤは、物品保持シートの長手方向に沿った複数個所に設けられている。複数のＬＥＤは、物品保持シートの長手方向に沿って一定間隔ごとに配置されている。複数のＬＥＤのそれぞれからは赤色光線が照射される。赤色光線は、マットの上に横たわった使用者に照射される。使用者の皮膚への赤色光線の照射により、シワ及び乾燥肌の改善、並びに、アンチエイジング効果の向上を狙っている。
【先行技術文献】
【特許文献】
【０００５】
【特許文献１】実用新案登録第３２０３４９９号公報
【発明の概要】
【発明が解決しようとする課題】
【０００６】
前述したように、血流の促進等を目的としたマットにおいて、積層構造は、クッション、電気ヒーター、電磁波シールドシート、消臭シート、遮熱シート、マイナスイオンシート及び物品保持シートから成る。このように、積層構造は、種々の機能を備えた複数の層を含んでいるため、構造が複雑である。また、クッションの上に複数の層が設けられるため、重量が大きくなることが懸念される。
【０００７】
本発明は、血流を促進することができると共に、構造が簡易であり、重量の増大を抑制することができる寝具を提供することを目的とする。
【課題を解決するための手段】
【０００８】
本発明に係る寝具は、寝具本体と、寝具本体の少なくとも一部を覆う寝具用カバーとを備えた寝具であって、寝具本体の表面に固定された薄板状のベースと、ベースの寝具本体との反対側に露出しており、赤色の可視光を照射する複数のＬＥＤと、を備える。
【０００９】
本発明に係る寝具は、寝具本体と、この寝具本体の少なくとも一部を覆う寝具用カバーとを備えており、寝具本体の表面に固定された薄板状のベースと、ベースの寝具本体との反対側に露出する複数のＬＥＤとを更に備える。薄板状のベース及び複数のＬＥＤが寝具本体の表面に固定されるので、寝具の構造を簡易に維持することができ、寝具の重量の増大を抑制することができる。また、赤色の可視光を照射する複数のＬＥＤのそれぞれは、ベースの寝具本体との反対側に露出している。従って、複数のＬＥＤが寝具本体の反対側に露出していることによって、ＬＥＤからの赤色の可視光を使用者に直接照射することができる。よって、赤色の可視光が照射された使用者の血流を促進することができる。
【００１０】
また、ベースは、表面において一定方向に延びるように配置されており、複数のＬＥＤは、ベースにおいて一定方向に並んで配置されていてもよい。この場合、複数のＬＥＤが並ぶ方向とベースが延びる方向とが一致するので、複数のＬＥＤは直線状に配置される。よって、使用者の身体に直線的に赤色の可視光を照射することができる。
【００１１】
また、ベースは、表面に固定された薄板状の第１ベースと、第１ベース上で直線状に延びると共に複数のＬＥＤが埋め込まれた複数の第２ベースとを含んでもよい。この場合、ベースが薄板状の第１ベースと直線状の第２ベースとを含んで構成されるので、ベースの厚さの増大を抑制することができる。
【００１２】
また、可視光の波長は、６２０ｎｍ以上且つ６５０ｎｍ以下であってもよい。この場合、赤色の可視光線の波長帯域から更に波長が６２０ｎｍ以上且つ６５０ｎｍ以下に絞られることにより、赤色の光の相対強度を高めることができる。すなわち、ＬＥＤが照射する光における赤色の光の相対強度を高めることができる。従って、ＬＥＤが照射する光の強度に対する血流の促進効果を一層高めることができる。
【発明の効果】
【００１３】
本発明によれば、血流を促進することができると共に、構造が簡易であり、重量の増大を抑制することができる。
【図面の簡単な説明】
【００１４】
【図１】第１実施形態に係る寝具を示す平面図である。
【図２】図１の寝具のII−II線断面図である。
【図３】図１の寝具の光照射ユニットを拡大した平面図である。
【図４】光の波長と赤色光の相対強度との関係を示すグラフである。
【図５】第２実施形態に係る寝具を示す平面図である。
【図６】（ａ），（ｂ）及び（ｃ）は、実施例に係る寝具と比較例に係る寝具との実験結果を示すグラフである。
【発明を実施するための形態】
【００１５】
以下では、図面を参照しながら本発明に係る寝具の実施形態について説明する。図面の説明において、同一又は相当する要素には同一の符号を付し、重複する説明を適宜省略する。本明細書において「寝具」とは、寝具の使用者が身体を休めたり睡眠をとったりするときに使用者の身体に当てられるものであり、典型的には、敷き寝具、掛け寝具、布団、枕、座布団又はクッションである。「寝具本体」は、寝具の形状を維持する寝具の本体部分を示しており、典型的には、寝具用カバー以外の部分である。「寝具用カバー」は、寝具本体を収容するもの、及び寝具本体を収容する部分を含み、典型的には、寝具本体の少なくとも一部を覆うカバー、及び寝具本体の少なくとも一部を覆うシーツを含む。
【００１６】
（第１実施形態）
第１実施形態では、寝具が敷き寝具１０である例について説明する。図１及び図２に示されるように、敷き寝具１０は、例えば、ベッド１に載せられたマットレス、又は敷き布団である。一例として、ベッド１は、敷き寝具１０が載せられる床板２と、床板２の幅方向である方向Ｄ１の両端それぞれに設けられる一対のサイドレール３と、床板２の長手方向である方向Ｄ２の一端に設けられるヘッドボード４と、床板２の方向Ｄ２の他端に設けられるフットボード５とを備える。
【００１７】
敷き寝具１０は、方向Ｄ１及び方向Ｄ２に延びる直方体状を成しており、高さ方向である方向Ｄ３に厚さを有する。敷き寝具１０は、寝具本体１１と、寝具本体１１を収容する寝具用カバー１２とを備える。寝具本体１１は、寝具本体１１の中身を構成する内容物１１ａと、内容物１１ａを収容する袋状の側地１１ｂとを備える。寝具本体１１は、平面視において、角部が丸みを帯びた長方形状を成している。
【００１８】
内容物１１ａは、側地１１ｂによって形成された内部空間Ｓに充填されている。側地１１ｂは例えば布製である。敷き寝具１０が敷き布団である場合、内容物１１ａは、中芯、及び中芯の外側に位置する中わたである。また、敷き寝具１０がマットレス（ポケットコイルマットレス等）である場合、内容物１１ａは、例えば、複数のコイルスプリングが互いに連結されて形成されたコイルスプリング集合体である。寝具用カバー１２は、例えば、薄い布状とされており、平面視において長方形状を成している。本実施形態において、寝具用カバー１２は寝具本体１１の全体を覆っている。
【００１９】
敷き寝具１０の方向Ｄ２の中央には、赤色の可視光（以下では赤色光Ｌと称することがある）を複数のＬＥＤ２１のそれぞれから照射する光照射ユニット２０が設けられる。光照射ユニット２０は、敷き寝具１０の使用者Ｍ１の腰部が載せられる位置に設けられる。赤色光Ｌの波長は、例えば、６２０ｎｍ以上且つ６５０ｎｍ以下であり、好ましくは６２５ｎｍ以上且つ６４０ｎｍ以下であり、より好ましくは６２５ｎｍ以上且つ６３５ｎｍ以下である。赤色光Ｌからは、赤色の光と共に温熱効果が得られる。
【００２０】
光照射ユニット２０は、敷き寝具１０の寝具本体１１の表面１１ｃ（上面）に固定されており、具体的には、表面１１ｃに形成された開口１１ｄを塞ぐように固定されている。これにより、表面１１ｃからの光照射ユニット２０の突出量を抑えることが可能となる。光照射ユニット２０は、寝具用カバー１２の内側（下側）に設けられるが、図１では、図示を分かりやすくするため光照射ユニット２０を実線で示している。寝具用カバー１２は光照射ユニット２０からの赤色光Ｌを透過する薄い布である。
【００２１】
光照射ユニット２０は、敷き寝具１０の幅方向である方向Ｄ１（一定方向）に延びる形状を成しており、例えば、長方形状を呈する。一例として、光照射ユニット２０の長手方向（方向Ｄ１）の長さＡ１は６０ｃｍ以上且つ８０ｃｍ以下であり、光照射ユニット２０の幅方向（方向Ｄ２）の幅Ａ２は１０ｃｍ以上且つ５０ｃｍ以下である。光照射ユニット２０の長手方向の一端２０ａと敷き寝具１０の方向Ｄ２に延びる端辺１０ａとの距離Ａ３は、５ｃｍ以上且つ２０ｃｍ以下である。光照射ユニット２０の厚さ（方向Ｄ３の長さ）は、例えば、１ｍｍ以上且つ１０ｍｍ以下である。
【００２２】
上記のように、長さＡ１が６０ｃｍ以上であって且つ幅Ａ２が１０ｃｍ以上であることにより、使用者Ｍ１の腰に十分な赤色光Ｌを照射できると共に温熱効果を使用者Ｍ１に与えることが可能となる。赤色光Ｌが使用者Ｍ１の皮膚に照射されると、皮膚の血行が促進し、線維芽細胞が賦活化されると共に、コラーゲン産生促進作用が高められる。また、長さＡ１が８０ｃｍ以下であって且つ幅Ａ２が３０ｃｍ以下であることにより、赤色光Ｌが強すぎて使用者Ｍ１の身体が熱くなりすぎる事態を抑制できる。
【００２３】
更に、距離Ａ３が２０ｃｍ以下であることにより、後述するコネクタ３４が方向Ｄ１の端部寄りに位置するので、コネクタ３４が使用者Ｍ１の身体に接触する可能性を低減させることができる。また、光照射ユニット２０の厚さが１０ｍｍ以下であることにより、使用者Ｍ１の身体に光照射ユニット２０が当たることによる違和感を抑えることができる。
【００２４】
光照射ユニット２０は、電力供給手段３０から電力を受けて赤色光Ｌを照射する。電力供給手段３０が供給する電力の電圧は、例えば、５Ｖ以上且つ１２Ｖ以下であり、１つのＬＥＤ２１あたりの出力は０．８ｍＷ以上且つ１５ｍＷ以下である。電力供給手段３０は、ヘッドボード４の使用者Ｍ１側を向く表面４ａに固定された操作部３１と、操作部３１と電気的に接続される制御部３２と、制御部３２から延びる配線３３と、コネクタ３４とを備える。操作部３１からコネクタ３４までの間にはＡＣアダプタが設けられており、このＡＣアダプタによって赤色光Ｌの強度を調整可能とされている。また、実際は複数の配線３３が設けられているが、図１では簡略化のため１本の配線３３のみを示している。
【００２５】
操作部３１は、例えば、光照射ユニット２０の動作を設定可能な操作パネルである。一例として、操作部３１では、赤色光Ｌの強度、赤色光Ｌの照射開始時刻、赤色光Ｌの照射終了時刻、又は赤色光Ｌの照射時間が設定される。操作部３１は、電源に接続されている。操作部３１に設定された時間及び強度に応じて制御部３２が電源からの電力の各ＬＥＤ２１への供給制御を行うことにより、ＬＥＤ２１の点灯及び消灯が行われる。
【００２６】
制御部３２は、各ＬＥＤ２１からの配線３３、及び操作部３１からの配線が集中する部位である。制御部３２は、例えば、敷き寝具１０の隅部に埋め込まれた基板を含んでいる。配線３３は、制御部３２から方向Ｄ２に沿って延び出している。配線３３は、方向Ｄ２の中央において曲げられて、コネクタ３４を介して光照射ユニット２０の各ＬＥＤ２１に電気的に接続される。
【００２７】
図３は、敷き寝具１０の光照射ユニット２０を拡大した平面図である。図２及び図３に示されるように、各配線３３の制御部３２との反対側の端部にはコネクタ３４が設けられる。光照射ユニット２０は、寝具本体１１の表面１１ｃに固定された薄板状のベース２５を備える。ベース２５は、寝具本体１１の表面１１ｃに固定された薄板状の第１ベース２６と、第１ベース２６上で直線状に延びる複数の第２ベース２７と、各第２ベース２７の長手方向の一端において方向Ｄ２に延びる保護部２８とを備える。
【００２８】
第２ベース２７には複数のＬＥＤ２１が埋め込まれている。複数のコネクタ３４のそれぞれから第２ベース２７が延び出しており、各第２ベース２７は方向Ｄ１に延びるように配置される。複数の第２ベース２７は、例えば、互いに平行に延びている。第２ベース２７は、例えば、シリコーン樹脂によって構成されている。
【００２９】
第２ベース２７は、絶縁性材料によって構成されており、防水加工が施されている。各第２ベース２７の内部には、各ＬＥＤ２１に電気的に接続される導線が埋め込まれている。第２ベース２７は、弾性材料によって構成されていてもよい。この場合、第２ベース２７に使用者Ｍ１の身体が当たっても、使用者Ｍ１に対する寝心地が損なわれないようにすることが可能となる。
【００３０】
第１ベース２６は、寝具本体１１の側地１１ｂに固定されている。側地１１ｂへの第１ベース２６の固定は、例えば、縫製、接着又は溶着によって行われる。一例として、第１ベース２６は、樹脂製である。第１ベース２６は、可撓性材料によって構成されていてもよい。第１ベース２６は、例えば、透明とされている。なお、「透明」には、無色透明だけでなく、着色透明、及び、すりガラス状等、濁りがある透明も含まれる。このように第１ベース２６が透明である場合、寝具本体１１の内容物１１ａを視認可能となる。
【００３１】
第１ベース２６は、シート状とされたプラスチック素材で構成されていてもよい。例えば、第１ベース２６の材料は、ＰＰ（ポリプロピレン）、ＰＥＴ（ポリエチレンテレフタレート）又は生分解性フィルムである。第１ベース２６の厚さは、例えば、０．１ｍｍ以上且つ０．５ｍｍ以下である。
【００３２】
一例として、平面視におけるＬＥＤ２１の形状は正方形状であり、平面視におけるＬＥＤ２１の１辺の長さは、２ｍｍ以上且つ１０ｍｍ以下である。このようにＬＥＤ２１は小型化されているので、多くのＬＥＤ２１を配置可能であると共に、ＬＥＤ２１によって血流促進効果及び温熱効果が確実に得られる。
【００３３】
例えば、各第２ベース２７には４個以上のＬＥＤが方向Ｄ１に沿って配置されており、これにより、使用者Ｍ１の身体に対する血流促進効果及び温熱効果を十分に発揮させることが可能となる。更に、本実施形態では、３２個以上のＬＥＤ２１が配置されているため、血流促進効果及び温熱効果が更に高められる。具体例として、各第２ベース２７には１３個のＬＥＤ２１が配置されており、ＬＥＤ２１の総数は５２である。
【００３４】
上記のように、複数のＬＥＤ２１は、第２ベース２７の長手方向（方向Ｄ１）に沿って並ぶように配置されており、各ＬＥＤ２１は、その発光部分が外方（上方）に露出している。互いに隣り合う２個のＬＥＤ２１の間隔Ｐは、例えば、１ｃｍ以上且つ５ｃｍ以下である。本実施形態において、複数のＬＥＤ２１の間隔Ｐは互いに同一とされている。
【００３５】
方向Ｄ２に互いに隣り合う２本の第２ベース２７におけるＬＥＤ２１の方向Ｄ１の位置は、互いに同一であってもよい。複数のＬＥＤ２１は、格子状に配置されていてもよいし、千鳥状に配置されていてもよい。更に、複数のＬＥＤ２１は略均等に分散して配置されていてもよい。
【００３６】
すなわち、複数のＬＥＤ２１が所定の点若しくは線に対して互いに対称となるように配置されていてもよいし、複数のＬＥＤ２１が同心円状に分散して配置されていてもよい。ＬＥＤ２１が略均等に分散して配置されていることにより、赤色光Ｌの照射を均一に行える。また、ＬＥＤ２１は、ベース２５において全体的に満遍なく配置されていてもよいし、ベース２５における特定の部位に局所的に配置されていてもよい。このようにＬＥＤ２１の配置態様は適宜変更可能である。
【００３７】
保護部２８は、第１ベース２６の幅方向（方向Ｄ２）に沿って直線状に延びるように配置される。保護部２８は、各第２ベース２７及び第１ベース２６から光照射ユニット２０の外方に延びる複数のコネクタ３４のそれぞれを保護する。保護部２８は、各第２ベース２７と各コネクタ３４との境目を覆うことにより、各第２ベース２７及び各コネクタ３４の接続部分を保護する。
【００３８】
保護部２８は、絶縁性材料によって構成されており、例えば、樹脂製である。保護部２８は、第１ベース２６に接着されるテープ部材であって、第１ベース２６への接着面（下面）にゴム系粘着剤が設けられていてもよい。一例として、保護部２８はビニルテープである。このように絶縁性材料から成る保護部２８が設けられることにより、第２ベース２７及びコネクタ３４を物理的及び電気的に保護することが可能である。
【００３９】
次に、光照射ユニット２０の使用方法の例について説明する。図１に示されるように、操作部３１を操作して光照射ユニット２０の電源をオンにすると共に、例えば、ＬＥＤ２１による照射時間が１時間となるように照射時間を設定する。そして、使用者Ｍ１の腰部に光照射ユニット２０が位置するように、身体を敷き寝具１０の上に横たわらせる。このとき、ＬＥＤ２１からの赤色光Ｌが寝具用カバー１２を介して使用者Ｍ１の腰部に照射される。照射開始から１時間後にＬＥＤ２１が自動的に消灯する。
【００４０】
以上のように構成される敷き寝具１０から得られる作用効果について詳細に説明する。
【００４１】
図２に示されるように、敷き寝具１０は、寝具本体１１と、寝具本体１１の少なくとも一部を覆う寝具用カバー１２とを備えており、寝具本体１１の表面１１ｃに固定された薄板状のベース２５と、ベース２５の寝具本体１１との反対側に露出する複数のＬＥＤ２１とを更に備える。薄板状のベース２５、及び小型化されたＬＥＤ２１が敷き寝具１０に設けられるので、敷き寝具１０の構造を簡易に維持することができ、敷き寝具１０の重量の増大を抑えることができる。
【００４２】
また、赤色光Ｌを発光するＬＥＤ２１のそれぞれは、ベース２５の寝具本体１１との反対側（上側）に露出している。従って、複数のＬＥＤ２１が寝具本体１１の反対側に露出していることによって、ＬＥＤ２１からの赤色光Ｌを使用者Ｍ１に直接照射することができる。よって、赤色光Ｌが照射された使用者Ｍ１の皮膚の血流を促進することができる。
【００４３】
また、ベース２５は、表面１１ｃにおいて方向Ｄ１に延びるように配置されており、複数のＬＥＤ２１は、ベース２５において方向Ｄ１に並んで配置されている。従って、複数のＬＥＤ２１が並ぶ方向とベース２５が延びる方向とが一致するので、複数のＬＥＤ２１は直線状に配置される。よって、使用者Ｍ１の身体に直線的に赤色光Ｌを照射することができる。本実施形態では、使用者Ｍ１の腰部に沿って横断的に赤色光Ｌを照射することができる。
【００４４】
また、ベース２５は、表面１１ｃに固定された薄板状の第１ベース２６と、第１ベース２６上で直線状に延びると共に複数のＬＥＤ２１が埋め込まれた複数の第２ベース２７とを含んでいる。よって、ベース２５が薄板状の第１ベース２６と直線状の第２ベース２７とを含んで構成されるので、ベース２５の厚さの増大を抑制することができる。
【００４５】
また、赤色光Ｌの波長は、６２０ｎｍ以上且つ６５０ｎｍ以下であってもよい。図４に示されるように、光の波長と赤色光Ｌの相対強度との関係について、波長が６０３ｎｍ以上になると徐々に赤色光Ｌの相対強度が増加し、波長が６２０ｎｍ以上且つ６５０ｎｍ以下であるときに赤色光Ｌの相対強度が急激に高くなる。そして、波長が６５０ｎｍより長いと急激に赤色光Ｌの相対強度が低くなる。
【００４６】
よって、赤色光Ｌの波長が６２０ｎｍ以上且つ６５０ｎｍ以下であって、赤色の可視光線の波長帯域から更に赤色光Ｌの波長が６２０ｎｍ以上且つ６５０ｎｍ以下に絞られることにより、赤色の光の相対強度を高めることができる。すなわち、ＬＥＤ２１が照射する光における赤色の光の相対強度を高めることができる。従って、ＬＥＤ２１が照射する赤色光Ｌの強度に対する血流の促進効果を一層高めることができる。
【００４７】
また、図１に示されるように、光照射ユニット２０は、敷き寝具１０における使用者Ｍ１の腰部が載せられる位置に設けられる。ところで、仮に光照射ユニット２０が敷き寝具１０の全体に設けられる場合、血流の促進効果は高まるものの、熱が強すぎることにより使用者Ｍ１に暑さを感じさせる懸念がある。
【００４８】
これに対し、本実施形態のように、使用者Ｍ１の腰部の位置に光照射ユニット２０が設けられる場合、腰部の血流が促進されるのは勿論、使用者Ｍ１の身体全体の血流を促進させることができる。具体的には、使用者Ｍ１の腰部から末端部（例えば足背部）に至るまでにおいて皮膚血流量を高めることができ、皮膚の温度を高めることができる。従って、必要最低限のＬＥＤ２１によって身体全体の血流を促進できる。また、ＬＥＤ２１による過度なエネルギー消費を抑えつつ、シワを抑制して健康美容効果を高めると共に、皮膚のアンチエイジング効果を発揮することができる。
【００４９】
（第２実施形態）
次に、第２実施形態に係る寝具について図５を参照しながら説明する。図５に示されるように、第２実施形態に係る寝具は枕４０である。枕４０は、枕本体４１（寝具本体）と、枕本体４１を収容する枕カバー４２（寝具用カバー）と、光照射ユニット５０とを備える。枕本体４１、枕カバー４２及び光照射ユニット５０の構成は、大きさ及び形状以外の点において、前述した寝具本体１１、寝具用カバー１２及び光照射ユニット２０それぞれの構成と同様である。以降の説明では、第１実施形態と重複する説明を適宜省略する。
【００５０】
光照射ユニット５０は、枕４０の幅方向Ｄ４の一方側に寄った位置に設けられる。光照射ユニット５０は、枕４０の使用者Ｍ２の首部から後頭部までの部分が載せられる位置に設けられる。光照射ユニット５０は、枕４０の枕本体４１の表面４１ｃ（上面）に固定されている。光照射ユニット５０は、枕カバー４２の内側（下側）に設けられるが、図５では、図示を分かりやすくするため光照射ユニット５０を実線で示している。枕カバー４２は光照射ユニット５０からの赤色光Ｌを透過する薄い布とされている。
【００５１】
光照射ユニット５０は、枕４０の長手方向Ｄ５に延びる形状を成しており、例えば、長方形状を呈する。一例として、枕４０の長手方向Ｄ５の長さＢ１は４５ｃｍ以上且つ６５ｃｍ以下であり、枕４０の幅方向Ｄ４の幅Ｂ２は３０ｃｍ以上且つ５０ｃｍ以下である。光照射ユニット５０から枕４０の幅方向Ｄ４に延びる端辺４０ａまでの距離Ｂ３は１ｃｍ以上且つ５ｃｍ以下である。
【００５２】
光照射ユニット５０と、枕４０の長手方向Ｄ５に延びる光照射ユニット５０側の端辺４０ｂとの間の距離Ｂ４は１ｃｍ以上且つ５ｃｍ以下である。光照射ユニット５０と、枕４０の長手方向Ｄ５に延びる光照射ユニット５０の反対側の端辺４０ｃとの間の距離Ｂ５は２０ｃｍ以上且つ４０ｃｍ以下である。
【００５３】
光照射ユニット５０の幅方向Ｄ４の長さＢ６は、例えば、５ｃｍ以上且つ２０ｃｍ以下であり、光照射ユニット５０の長手方向Ｄ５の長さＢ７は３０ｃｍ以上且つ６０ｃｍ以下である。以上のように光照射ユニット５０が配置されることにより、赤色光Ｌによる前述した効果を十分に発揮させることが可能となる。
【００５４】
以上、第２実施形態に係る枕４０は、枕本体４１と、枕本体４１の少なくとも一部を覆う枕カバー４２とを備えており、枕本体４１の表面４１ｃに固定された光照射ユニット５０のベース２５と、ベース２５の枕本体４１との反対側に露出する複数のＬＥＤ２１とを備える。従って、枕４０の構成を簡易に維持しつつ、枕４０の重量の増大を抑制することができる。また、ＬＥＤ２１からの赤色光Ｌを枕カバー４２を介して使用者Ｍ２に照射することができるので第１実施形態と同様の効果が得られる。
【００５５】
また、光照射ユニット５０は、枕４０の使用者Ｍ２の首部から後頭部までの部分が載せられる位置に設けられる。この位置に光照射ユニット５０が設けられることにより、首部及び後頭部の血流を促進することができるので、首部及び後頭部の血行不良を改善して首こり及び肩こりを緩和することができる。更に、後頭部の血流が促進されて血行が改善されることにより育毛効果を発揮させることができる。
【００５６】
以上、本発明に係る寝具の実施形態について説明したが、本発明は、前述した各実施形態に限られるものではなく、各請求項に記載した要旨を変更しない範囲で変形し、又は他のものに適用したものであってもよい。すなわち、本発明に係る寝具の各部の形状、大きさ、材料、数及び配置態様は、上記の要旨を逸脱しない範囲において適宜変更可能である。
【００５７】
例えば、前述の実施形態では、ベッド１の上に載せられる敷き寝具１０について説明したが、ベッド１の構成は適宜変更可能である。また、本発明に係る寝具は、ベッドに載せられないものであってもよい。更に、本発明に係る寝具は、敷き寝具１０又は枕４０以外の寝具であってもよく、例えば、掛け寝具、座布団、クッション、背もたれ又は介護用の椅子であってもよい。
【００５８】
また、前述の実施形態では、寝具本体１１及び寝具用カバー１２を備えた敷き寝具１０について説明したが、敷き寝具１０の構成は適宜変更可能である。例えば、寝具本体１１の内部にマチ部が設けられており、マチ部が内部空間を複数に仕切っている寝具であってもよい。内容物１１ａは羽毛又はパイプ材であってもよく、内容物１１ａの種類は特に限定されない。側地１１ｂの材料も適宜変更可能である。
【００５９】
また、前述の実施形態では、表面１１ｃに形成された開口１１ｄを塞ぐように光照射ユニット２０が固定される例について説明したが、寝具本体１１に対する光照射ユニット２０の固定態様については特に限定されない。例えば、表面１１ｃに開口１１ｄを形成せずに、表面１１ｃに直接光照射ユニット２０が固定されてもよい。この場合、開口１１ｄの形成が不要となるので、寝具本体１１に対する特殊な加工を不要とすることができる。第２実施形態の枕本体４１及び光照射ユニット５０についても同様である。
【００６０】
また、光照射ユニット２０，５０の形状、大きさ、数、材料及び配置態様は、前述した各実施形態に限定されず適宜変更可能である。例えば、幅を１０ｃｍ、長さを３０ｃｍとした矩形状の複数の光照射ユニット２０を敷き寝具１０に固定してもよい。更に、ＬＥＤ２１の形状、大きさ、数及び配置態様についても適宜変更可能である。
【００６１】
また、前述の実施形態では、第１ベース２６及び第２ベース２７を有するベース２５を備えた光照射ユニット２０について説明した。しかしながら、ベースの数は１又は３以上であってもよい。更に、第１ベース２６及び第２ベース２７の形状、大きさ、数、材料及び配置態様については適宜変更可能である。保護部２８及び電力供給手段３０についても同様である。
【００６２】
また、前述の実施形態では、寝具本体１１の表面１１ｃに固定された薄板状のベース２５を備えた敷き寝具１０について説明したが、ベースは寝具本体の表面に着脱可能に固定されてもよい。また、光照射ユニット及び電力供給手段は寝具から着脱可能であってもよい。この場合、不要なときにはベース及びＬＥＤを寝具から取り外すことができる。
【００６３】
（実施例）
前述した各実施形態では、寝具本体の表面に光照射ユニット２０，５０が固定され、光照射ユニット２０，５０の各ＬＥＤ２１が赤色光Ｌを使用者Ｍ１，Ｍ２の身体に照射することによって血流を促進させた。以下では、第１実施形態の敷き寝具１０の実施例について説明する。なお、本発明は、下記の実施例に限定されるものではない。
【００６４】
図１に示されるように、この実施例の実験では、使用者Ｍ１の腰部が載せられる位置に光照射ユニット２０を固定した。実施例において、光照射ユニット２０の方向Ｄ１の長さを３０ｃｍとし、光照射ユニット２０の方向Ｄ２の長さを１０ｃｍとし、光照射ユニット２０の厚さは２ｍｍ以上且つ３ｍｍ以下とした。各ＬＥＤ２１から照射する赤色光Ｌの波長は、６２８ｎｍ以上且つ６３８ｎｍ以下とし、電力供給手段３０からの電力については、電流はＤＣ、電圧値は５Ｖ以上且つ１２Ｖ以下とした。また、ＬＥＤ２１の個数は１４４個とした。
【００６５】
実験を行った実験室について、気温は２２℃以上且つ２４℃以下とし、相対湿度は４５％以上且つ５５％以下とした。被検者は２０代〜４０代の冷え性を自覚する女性５名であり、被検者の腰部の温度変化と足背部の温度変化、及び腰部の血流量の変化と足背部の血流量の変化、を測定した。
【００６６】
実施例では、最初に光照射ユニット２０の電源を５分間オフにした後に、電源をオンとし各ＬＥＤ２１から腰部への赤色光Ｌの照射を６０分間行ってから光照射ユニット２０の電源をオフにし、オフにした状態を６０分間継続した。この間の被検者の皮膚の温度（皮膚温）と血流量（皮膚血流量）を時系列で測定した。
【００６７】
これに対し、比較例では、ＬＥＤ２１を黒いテープで塞ぎＬＥＤ２１による熱を被検者に付与した。すなわち、比較例では、ＬＥＤ２１から腰部への赤色光Ｌの照射を行わずにＬＥＤ２１の熱のみを被検者に付与した。具体的には、最初に光照射ユニット２０の電源を５分間オフにした後に、電源をオンとしＬＥＤ２１から腰部への熱の付与を６０分間行ってから光照射ユニット２０の電源をオフにし、オフにした状態を６０分間継続した。この間の被検者の皮膚温と皮膚血流量を時系列で測定した。
【００６８】
図６（ａ）、図６（ｂ）及び図６（ｃ）は、前述した実験の結果を示すグラフである。図６（ａ）は被検者の腰部における皮膚温の時系列データを示しており、図６（ｂ）は被検者の足背部における皮膚温の時系列データを示しており、図６（ｃ）は被検者の足背部における皮膚血流量の時系列データを示している。
【００６９】
図６（ａ）に示されるように、赤色光Ｌを照射する実施例と熱を付与する比較例とにおいて、腰部の皮膚温には有意な差がないことが分かった。一方、図６（ｂ）に示されるように、足背部の皮膚温については、赤色光Ｌを照射する実施例の方が比較例よりも全体的に高く、実施例の温度と比較例の温度との差は最大１．０℃程度であった、また、図６（ｃ）に示されるように、足背部の皮膚血流量については、特に光照射ユニット２０の電源をオンにしている間及びオフにした後２０分間において、実施例の方が比較例よりも多く、実施例と比較例の差は最大で０．５（ｍＬ／ｍｉｎ／１００ｇ）程度であった。
【００７０】
以上の実験より、波長が６２８ｎｍ以上且つ６３８ｎｍ以下である赤色光Ｌを腰部に照射する実施例では、熱を付与する比較例よりも、足背部において皮膚温及び皮膚血流量が高められることが分かった。このように、実施例では、赤色光Ｌを腰部に照射することによって、腰部から離れた足背部の温度及び血流量を高められた。従って、熱ではなく赤色の可視光そのものが皮膚温の上昇及び皮膚血流量の増加に有効であることが分かった。
【符号の説明】
【００７１】
１…ベッド、２…床板、３…サイドレール、４…ヘッドボード、４ａ…表面、５…フットボード、１０…敷き寝具（寝具）、１０ａ…端部、１１…寝具本体、１１ａ…内容物、１１ｂ…側地、１１ｃ…表面、１１ｄ…開口、１２…寝具用カバー、２０，５０…光照射ユニット、２０ａ…一端、２１…ＬＥＤ、２５…ベース、２６…第１ベース、２７…第２ベース、２８…保護部、３０…電力供給手段、３１…操作部、３２…制御部、３３…配線、３４…コネクタ、４０…枕（寝具）、４０ａ，４０ｂ，４０ｃ…端辺、４１…枕本体（寝具本体）、４１ｃ…表面、４２…枕カバー（寝具用カバー）、Ａ１，Ｂ１…長さ、Ａ２，Ｂ２…幅、Ａ３，Ｂ３，Ｂ４，Ｂ５…距離、Ｄ１，Ｄ２，Ｄ３…方向、Ｄ４…幅方向、Ｄ５…長手方向、Ｍ１，Ｍ２…使用者、Ｐ…間隔、Ｓ…内部空間。
【図１】
2019024737.tif 000003
【図２】
2019024737.tif 000004
【図３】
2019024737.tif 000005
【図４】
2019024737.tif 000006
【図５】
2019024737.tif 000007
【図６】
2019024737.tif 000008